(57)【要約】【課題】表示画面の回転角度を調整できるディスプレーを提供する。【解決手段】本考案によるディスプレーは表示パネル、負荷面に設けられるサポート台及び表示パネルとサポート台との間に設置されるヒンジ回転装置を含む。表示パネルは背面を有し、該背面に垂直する直線が第一の軸線として定義される。ヒンジ回転装置は背面に設けられる固定部と、該固定部の、表示パネルから離れる側に設けられるヒンジ回転部と、サポート台に設けられるバック蓋と、ヒンジ接続ユニットとを含む。バック蓋は、その中心を第一の軸線と合わせ、また、背面に接近し、前記表示パネルとの接触面積を増やすための接触面を有する。ヒンジ接続ユニットは、固定部とヒンジ回転部とをヒンジ接続し、これにより、固定部と表示パネルは、ヒンジ回転部、背面及びサポート台に対し、第一の軸線を軸として回転することができる。【選択図】図２
0003128403.tif 000002
【実用新案登録請求の範囲】
【請求項１】
背面を有し、当該背面と垂直する直線が第一の軸線として定義される表示パネルと、
負荷面に設けられるサポート台と、
前記表示パネルと前記サポート台との間に設置されるヒンジ回転装置と、
を含み、
前記ヒンジ回転装置は、
ボルトにより前記背面に設けられる固定部と、
前記固定部の、前記表示パネルから離れる一方側に設けられるヒンジ回転部と、
前記サポート台に設置されて前記ヒンジ回転部に固定的に設けられるバック蓋であって、当該バック蓋の中心が前記第一の軸線と合わせ、当該バック蓋が前記背面に接近する接触面を有するバック蓋と、
前記固定部と前記ヒンジ回転部とをヒンジ接続させ、前記固定部と前記表示パネルとが前記ヒンジ回転部、前記バック蓋及び前記サポート台に対し、前記第一の軸線を軸として回転するヒンジ接続ユニットと、
を有するディスプレー。
【請求項２】
前記バック蓋は、略円盤状且つ開口が前記表示パネルに対向する本体を含み、当該本体の開口の周縁が前記接触面である、
請求項１に記載のディスプレー。
【請求項３】
前記接触面と前記表示パネルとの間に設置されるワッシャをさらに含み、当該ワッシャは、前記バック蓋及び前記表示パネルがヒンジ回転するときの摩擦力を低くする、
請求項１に記載のディスプレー。
【請求項４】
前記ヒンジ回転装置は、前記固定部と前記ヒンジ回転部との間に設置される角度制限ユニットを含み、当該角度制限ユニットは、前記固定部の、前記ヒンジ回転部に対してのヒンジ回転角度を制限し、第一の角度制限部及び第二の角度制限部を含み、
前記第一の角度制限部は、リング形のプレート状であり、前記固定部と前記ヒンジ回転部のうち、一つに設けられ、
前記第二の角度制限部は、前記固定部と前記ヒンジ回転部のうち、他の一つに設けられ、前記第一の角度制限部と共に干渉を生成して前記ヒンジ回転角度を制限する、
請求項１に記載のディスプレー。
【請求項５】
前記第一の角度制限部は、前記ヒンジ回転部に固定的に設けられ、前記第一の角度制限部の縁部は、アーチ状滑り溝を有し、
前記第二の角度制限部の設置位置は、前記第二の角度制限部が前記アーチ状滑り溝に進入して前記アーチ状滑り溝と係止できる位置である、
請求項４に記載のディスプレー。
【請求項６】
前記ヒンジ回転装置は、位置決めユニットを含み、
前記位置決めユニットは、
前記固定部と前記ヒンジ回転部のうち、一つに設けられ、第一の干渉孔を有する少なくとも一つの第一の干渉部と、
前記固定部と前記ヒンジ回転部のうち、他の一つに設けられ、前記第一の干渉孔に進入しまたは前記第一の干渉孔から離れる第二の干渉部と、
を含む、
請求項１に記載のディスプレー。
【請求項７】
前記第二の干渉部は、ボール状である、
請求項６に記載のディスプレー。
【請求項８】
前記第一の干渉部は前記ヒンジ回転部に設置され、前記第二の干渉部は前記固定部に設けられる、
請求項６に記載のディスプレー。
【考案の詳細な説明】
【技術分野】
【０００１】
本考案は、ディスプレーに関し、特に、表示画面の回転角度を調整できるディスプレーに関する。
【背景技術】
【０００２】
科学技術の日進月歩の発展につれて、ディスプレーが表示とタッチ入力の二つの機能を両方持つようになりつつある。これにより、使用者がディスプレーを直接タッチ選択することによってシステムの操作や絵描き等の動作を行い、利便性のある操作インターフェスが提供される。
【０００３】
従来のディスプレーは、サポート台及びこのサポート台に設けられる表示パネルを含む。サポート台が表示パネルの傾斜角度を調整できるように設計され、これにより、使用者の視角への要求に応じて表示パネルの傾斜角度を調整することができる。しかし、一般的に、表示パネルの表示画面のアスペクト比が４：３或いは１６：９であるので、３：４或いは９：１６の画面でドキュメントを表示する必要がある場合、従来のディスプレーのサポート台は表示画面を回転させる機能を有さないため、表示画面にドキュメント全体の内容を表示させることができず、この場合、マウスで表示画面をスクロールしなければ、ドキュメント全体の内容を見られない。また、使用者が表示画面を所定の角度回転してタッチ入力による操作を行う必要がある場合、従来のディスプレーのサポート台がこのような機能を提供することもできないので、使用者にとっては、タッチ入力による操作に不便がある。
【考案の開示】
【考案が解決しようとする課題】
【０００４】
本考案の目的は、表示画面の回転角度を調整できるディスプレーを提供することにある。
【課題を解決するための手段】
【０００５】
前述の目的を達成するために、本考案によるディスプレーは、表示パネル、サポート台及びヒンジ回転装置を含む。表示パネルは背面を有し、また、この背面と垂直する直線が第一の軸線として定義される。サポート台は負荷面に設けられる。ヒンジ回転装置は表示パネルとサポート台との間に設置され、固定部、ヒンジ回転部、バック蓋及びヒンジ接続ユニットを含む。固定部はボルトにより表示パネルの背面に設けられ、ヒンジ回転部は固定部の、表示パネルから離れる側に設けられる。バック蓋はサポート台に設置され、且つヒンジ回転部に固設される。バック蓋は、その中心を第一の軸線と合わせて、且つ表示パネルの背面に接近する接触面を有する。ヒンジ接続ユニットは、固定部とヒンジ回転部とを接続させ、これにより、固定部と表示パネルは、ヒンジ回転部、バック蓋、及びヒンジ接続ユニットに対して第一の軸線を軸として回転することができる。
【考案の効果】
【０００６】
本考案は、表示画面の回転角度を調整できるディスプレーを提供する。
【考案を実施するための最良の形態】
【０００７】
次に、添付した図面を参照しながら、本考案の好適な実施形態を詳細に説明する。
【０００８】
図１を参照する。本実施形態に係るディスプレー２は、ヒンジ回転装置２１、表示パネル２２、サポート台２３を含む。ヒンジ回転装置２１は、表示パネル２２とサポート台２３との間に設けられる。ここでは、ディスプレー２が液晶パネルを例として挙げられるが、その他の平面ディスプレー、例えば、プラズマディスプレーであっても良い。
【０００９】
表示パネル２２は、背面２２１を有する。背面２２１と垂直する軸線が第一の軸線Xとして定義される。
【００１０】
図２を参照する。ヒンジ回転装置２１は、固定部３１、ヒンジ回転部３２、バック蓋３３、角度制限ユニット４、位置決めユニット５、ダンプユニット６、ワッシャユニット７、及びヒンジ接続ユニット８を含む。
【００１１】
固定部３１は、ボルトにより表示パネル２２の背面２２１に設けられ、略円盤状且つその開口が表示パネル２２に面する本体３１１を有する。
【００１２】
ヒンジ回転部３２は、固定部３１の、表示パネル２２から離れる側に設けられ、表示パネル２２の背面２２１とほぼ平行する。ヒンジ回転部３２は、略円盤状且つその環状開口が背面２２１から離れる方向に向かう本体３２１と、本体３２１を上方及び下方に貫通するアーチ状第一の貫通部３２４と、本体３２１を左方及び右方に貫通するアーチ状第二の貫通部３２５とを含む。
【００１３】
バック蓋３３はサポート台２３に設けられ、且つ、ヒンジ回転部３２にロックされる（図１では、バック蓋３３が簡略な構造である様子を示す）。バック蓋３３は、その中心を第一の軸線Xとあわせて、略円盤状且つその開口３３４が表示パネル２２に面する本体３３１を含む。表示パネル２２から離れる本体３３１の一方側がボルトでサポート２３に設けられ、固定部３１及びヒンジ回転部３２はバック蓋３３の開口３３４内に収納できるように設けられる。本体３３１は表示パネル２２の背面２２１に接近する接触面３３２を有する。本実施形態には、本体３３１の開口３３４の周縁が接触面３３２である。バック蓋３３の配置により、ヒンジ回転装置２１と表示パネル２２との間の接触面積を増やすことができる。本実施形態において、接触面３３２と表示パネル２２の背面２２１との間にはワッシャ３３３が更に設けられ、これにより、表示パネル２２とバック蓋３３との間の摩擦力を低くし、表示パネル２２をより容易に回転させることができる。
【００１４】
角度制限ユニット４は、固定部３１とヒンジ回転部３２との間に設けられ、固定部３１の、ヒンジ回転部３２に対するヒンジ回転角度を制限する。角度制限ユニット４は、環状且つプレート状の第一の角度制限部４１、及び、固定部３１に設けられる第二の角度制限部４２を含む。第一の角度制限４１は、ヒンジ回転部３２の、固定部３１に接近する一方側にロックされ、且つ、第一の角度制限部４１の縁部は、凹んでアーチ状滑り溝４１３を形成し、アーチ状滑り溝４１３の延伸アーチ角度は、１８０°である。なお、アーチ状滑り溝４１３の延伸アーチ角度は、１８０°に限定されず、実際の設計要求に応じて変更されても良い。アーチ状滑り溝４１３は、対向する第一端４１４と第二端４１５を有する。第二の角度制限部４２は、その設置位置がアーチ状滑り溝４１３と係止できるように設定され、固定部３１と共に回転されるときに、第二の角度制限部４２は、アーチ状滑り溝４１３の第一端４１４または第二端４１５に接触するので、その回転が停止する。本実施形態には、アーチ状滑り溝４１３が１８０°であり、すなわち、本実施形態に係る表示パネル２２の回転範囲が１８０°である。また、この範囲内において、さらに、多段角度位置決めが設置されてもよく、この多段角度位置決め機能が次の位置決めユニット５により制御される。
【００１５】
位置決めユニット５は、ヒンジ回転部３２の、バック蓋３３に接近する一方側に設けられる二つの第一の干渉部５１と、固定部３１に嵌設される二つの第二の干渉部５２とを含む。本実施形態には、第一の干渉部５１の各々が金属弾性片であり、且つ、連続的に彎曲された長片状の本体５１１と、本体５１１を貫通した少なくとも一つの第一の干渉孔５１３とを含む。各本体５１１は、その両端がヒンジ回転部３２に固設され、その中段が第一の貫通部３２４に対応するように露出する。また、本体５１１の中段において、所定のアーチ角度に対応する位置には、第一の干渉孔５１３が設けられても良い。本実施形態には、第一の干渉孔５１３が本体５１１の中段の真ん中に設置され、これにより、表示パネル２２を０°に位置させ、即ち、未回転時の位置決め機能である。本実施形態に係る第二の干渉部５２は、ボール状であり、その数量が第一の干渉孔５１３に対応し、第一の干渉孔５１３と係合することまたは第一の干渉孔５１３から離れることができる。第二の干渉部５２は、固定部３１の、未回転状態時における第一の貫通部３２４に対応する中央位置に嵌設され、これにより、表示パネル２２が未回転である時に、即ち０°である時に、第二の干渉部５２は、第一の干渉部５１の第一の干渉孔５１３と係止することができる。
【００１６】
ダンプユニット６は、固定部３１と第一の角度制限部４１との間に設けられ、摩擦力を提供することによって固定部３１と第一の角度制限部４１との間における相対変位が生じることを避ける。また、ダンプユニット６は、中空の環状体６１と、中空の環状体６１の周縁から突出するように延伸し、且つ固定部３１に挿入することにより位置決めされた位置決めピン６２とを含み、固定部３１には、位置決めピン６２に対応する位置決め孔３１２が設けられる。
【００１７】
ワッシャユニット７は、ヒンジ回転部３２とバック蓋３３との間に設けられ、ヒンジ回転部３２とバック蓋３３との間における、ヒンジ回転運動による摩擦損耗を低減する。本実施形態において、ワッシャユニット７は少なくとも一つのワッシャ７１を含む。なお、本実施形態にはワッシャ７１の数量が２を例として挙げられるが、その数量が１であってもよく、或いは、２であってもよく、これに限られることがない。
【００１８】
ヒンジ接続ユニット８はリベットであり、固定部３１、ダンプユニット６、第一の角度制限部４１、ヒンジ回転部３２及びワッシャユニット７を順序にヒンジ接続することができる。
【００１９】
前述の第一、第二の干渉部５１、５２と第二の貫通部３２５との関係に関しては、以下、図１の上方に位置する第二の干渉部５２とそれに対応する第一の干渉件５１及び第二の貫通部３２５のみについて説明する。
【００２０】
図３を参照する。図３に示すように、使用者が力を入れて表示パネル２２を回転させ、表示パネル２２の回転角度を調整するときに、固定部３１がヒンジ回転部３２とバック蓋に対して第一の軸線Xと軸として回転する。この時、第二の角度制限部４２が、第一の角度制限部４１のアーチ状滑り溝４１３の中央位置から第一端４１４に移動され、同時に、第二の干渉部５２が、対応する第一の干渉部５１の第一の干渉孔５１３から離れ、ヒンジ回転部３２から突出するように露出した第二の貫通部３２５（図４に示されている）に進入する。アーチ状滑り溝４１３で第二の角度制限部４２の移動距離を制限することにより、固定部３１の、ヒンジ回転部３２及びバック蓋３３に対する回転角度の範囲を制限することができる。本実施形態には、その角度範囲が１８０°である。前述した回転プロセスにおいて、ダンプユニット６は、固定部３１と第一の角度制限部４１との間の相対変位への抵抗力を向上し、第二の角度制限部４２がアーチ状滑り溝４１３の第一端４１４に接触していないときに、表示パネル２２を所定の回転角度に維持させるに必要な摩擦力を提供する。使用者が表示パネル２２を０°に戻させたい時に、表示パネル２２に力を与えて第二の角度制限部４２をアーチ状滑り溝４１３の中央位置に移動させ、第二の干渉部５２を、対応する第一の干渉孔５１３に合わせて挿入させると、その戻り動作が完了する。
【００２１】
また、図５を参照する。図５に示すように、回転するときの安定性を向上するために、ヒンジ回転部３２の第二の貫通部３２５の面積を減少させることもできる。この場合、ヒンジ回転部３２と固定部３１との接触面積が増え、固定部３１の負荷面の面積を増加することによって、固定部３１がヒンジ回転部３２に対して回転するときの安定性を向上する。さらに、ヒンジ回転部３２と固定部３１との接触部分に間隔を空けて複数の溝３２３を設けることにより、固定部３１とヒンジ回転部３２との間の相対変位への抵抗力を向上しながら、表示パネル２２を所定のヒンジ回転角度に維持させるときの摩擦力を増加する。
【００２２】
本考案のディスプレー２は、ヒンジ回転装置２１の設置により、ヒンジ回転部３２に設けられたサポート台２３に対して、第一の軸線Xを軸とし、固定部３１に固設された表示パネル２２を回転させ、表示パネル２２の画面の回転角度を調整することができる。よって、表示パネル２２が３：４或いは９：１６で表示する必要があるとき、ヒンジ回転装置２１を介して表示パネル２２の画面を回転させることによって、画面に全体の内容を表示させることができる。或いは、使用者が画面を所定の角度回転して手書き操作を行うとき、ヒンジ回転装置２１を介して同じような機能を提供することもできる。よって、使用者は、あらゆる角度においても手書き操作を行うことができる。さらに、バック蓋２２の設置により、表示パネル２２とバック蓋３３との間に接触面３３２を持たせ、表示パネルが回転するときにバック蓋３３によって支えられ、表示パネルを回転させることがさらにしやすくなる。
【００２３】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２４】
【図１】本考案の第一の実施形態に係るディスプレーの側面図である。
【図２】本考案のディスプレーの分解図である。
【図３】本考案のディスプレーの断面図であり、第二の角度制限部がアーチ状溝の中央位置に位置する様子を示す。
【図４】本考案のディスプレーの他の断面図であり、第二の角度制限部がアーチ状溝の第一端に位置する様子を示す。
【図５】本考案のディスプレーのヒンジ回転部における他の実施形態に係る構造図である。
【符号の説明】
【００２５】
２          ディスプレー
２１        ヒンジ回転装置
２２        表示パネル
２２１      背面
２３        サポート台
３１        固定部
３１１      本体
３１２      位置決め孔
３２１      本体
３２４      第一の貫通孔
３２５      第二の貫通孔
３３        バック蓋
３３１      本体
３３２      接触面
３３３      ワッシャ
３３４      凹面
４          角度制限ユニット
４１        第一の角度制限部
４１３      アーチ状滑り溝
４１４      第一端
４１５      第二端
４２        第二の角度制限部
５          位置決めユニット
５１        第一の干渉部
５１１      本体
５１３      第一の干渉部
５２        第二の干渉部
６          ダンプユニット
６１        中空の環状体
６２        位置決めピン
７          ワッシャユニット
７１        ワッシャ
８          ヒンジ接続ユニット
Ｘ          第一の軸線
【図１】
0003128403.tif 000003
【図２】
0003128403.tif 000004
【図３】
0003128403.tif 000005
【図４】
0003128403.tif 000006
【図５】
0003128403.tif 000007